(57)【要約】  【課題】  本発明は、浴槽の幅を広くしても、脱着可能なエプロンを備えた浴室ユニットを提供することを目的とする。  【解決手段】  防水パンと、この防水パン上に載置される浴槽と、この浴槽の一辺に設置されるエプロンとを備え、上記防水パンが、エプロン下部辺に当接する突起を有し、上記浴槽が、その周囲に上縁面と、この上縁面の最外部に垂下する外部フランジと、この外部フランジと離間をもって配置される内部フランジとを有し、上記エプロンが、その上部辺に上記内部フランジに当接する挟持片を有する浴室ユニット。  【選択図】  図３
2008302123.tif 000002
【特許請求の範囲】
【請求項１】
防水パンと、この防水パン上に載置される浴槽と、この浴槽の一辺に設置されるエプロンとを備え、上記防水パンが、エプロン下部辺に当接する突起を有し、上記浴槽が、その周囲に上縁面と、この上縁面の最外部に垂下する外部フランジと、この外部フランジと離間をもって配置される内部フランジとを有し、上記エプロンが、その上部辺に上記内部フランジに当接する挟持片を有する浴室ユニット。
【請求項２】
請求項１において、エプロンが、その上端部高を挟持片上端高さよりも低くする浴室ユニット。
【請求項３】
請求項１又は２において、エプロンが、挟持片との間に溝を有する浴室ユニット。
【請求項４】
請求項１乃至３の何れかにおいて、エプロンが、固定状態において外部フランジと離間を持って配置される浴室ユニット。
【請求項５】
請求項１乃至４の何れかにおいて、突起が、防水パンの洗い場と浴槽載置場とを隔てる土手部の、上部水平面に配置される浴室ユニット。
【請求項６】
請求項１乃至５の何れかにおいて、エプロンが、突起と嵌合する水平部と、この水平部よりも下方へ突出し防水パンに当接させる当接片とを有し、水平部の奥側端を、エプロン上端を支点としたエプロンの回転軌跡より内側とする浴室ユニット。
【発明の詳細な説明】
【技術分野】
【０００１】
本発明は、側方にエプロンを有した浴槽を備える浴室ユニットに関する。
【背景技術】
【０００２】
浴室ユニットは、浴室を構成する防水パン、浴槽、壁パネル、天井パネル等の各部材を、予め工場にて製作し、施工現場にて組み立てるものであり、在来工法に比較し短時間で浴室を製作できることから、広く用いられている。
【０００３】
図１は、従来使用されていた浴槽の構造を示す概略断面図であり、（ａ）はエプロンの固定状態を示し、（ｂ）はエプロンの脱着状態を示す。
従来浴室ユニットに配置されていた従来の浴槽について詳細に述べると、図１（ａ）に示すように、防水パン１の上に載置された浴槽２は、その側面に使用者から浴槽裏面を隠蔽するエプロン３を備えている。
【０００４】
エプロン３は、その下端が、防水パン１を洗い場と浴槽載置場とに隔てる土手部４の上面に設けた突起５に係合する下部係止片６を有し、上端が、浴槽に設けた外部フランジ７と、同じく浴槽に設けたエプロン受け部８との間に、挟み込ませてある。
【０００５】
エプロン３の取り付けは、図１（ｂ）に示すように、先ずエプロン３の上端を、外部フランジ７とエプロン受け部８との間に挟持させるように滑りこませ、同時にエプロンの下端を押し下げて、下部係止片６と突起５とを係合させる。
【特許文献１】特願２００４−２２９７１３号公報
【発明の開示】
【発明が解決しようとする課題】
【０００６】
しかしながら、図１に示すエプロン３は、外部フランジ７の下端から防水パン（洗い場）１迄の距離Ｌ１が、エプロン３を押し下げる際に支点となる部分９からエプロン下端迄の距離Ｌ２よりも長い必用があり、この関係が逆転すると、エプロンの設置ができない。
【０００７】
図２は、前述したＬ１よりもＬ２の距離が長い場合の浴槽を示す概略断面図である。
図２に示すものでは、図１に比べ、防水パン１の土手部４から浴槽２の外部フランジ７端迄の長さを長くしてあり、浴槽の幅が広くなり使用者が入浴時にゆったり入浴できる。
但し、そのために、先に述べたＬ１の長さが、Ｌ２の長さよりも短くなっており、エプロン３の脱着を行えないものとなっている。
【０００８】
本発明は、浴槽の幅を広くしても、脱着可能なエプロンを備えた浴室ユニットを提供することを目的とする。
【課題を解決するための手段】
【０００９】
本発明は、以下のものに関する。
（１）防水パンと、この防水パン上に載置される浴槽と、この浴槽の一辺に設置されるエプロンとを備え、上記防水パンが、エプロン下部辺に当接する突起を有し、上記浴槽が、その周囲に上縁面と、この上縁面の最外部に垂下する外部フランジと、この外部フランジと離間をもって配置される内部フランジとを有し、上記エプロンが、その上部辺に上記内部フランジに当接する挟持片を有する浴室ユニット。
（２）項（１）において、エプロンが、その上端部高を挟持片上端高さよりも低くする浴室ユニット。
（３）項（１）又は（２）において、エプロンが、挟持片との間に溝を有する浴室ユニット。
（４）項（１）乃至（３）の何れかにおいて、エプロンが、固定状態において外部フランジと離間を持って配置される浴室ユニット。
（５）項（１）乃至（４）の何れかにおいて、突起が、防水パンの洗い場と浴槽載置場とを隔てる土手部の、上部水平面に配置される浴室ユニット。
（６）項（１）乃至（５）の何れかにおいて、エプロンが、突起と嵌合する水平部と、この水平部よりも下方へ突出し防水パンに当接させる当接片とを有し、水平部の奥側端を、エプロン上端を支点としたエプロンの回転軌跡より内側とする浴室ユニット。
【発明の効果】
【００１０】
本発明によれば、エプロンが、挟持片を有するので、エプロン下端と突起との当接関係を解除することでエプロンを下方に押し下げ、エプロンを支点中心に大きく回転させることなく脱着すことができる。
【００１１】
エプロンが、その上端部高を挟持片上端高さよりも低くした場合は、エプロンを脱着する際に、土手部から外して、防水パン床に置き浴槽外部フランジから外す際に、外部フランジにエプロン上端部高を当てることなく脱着することができる。
【００１２】
エプロンが、挟持片との間に溝を有する場合は、エプロン上端部を浴槽外部フランジより上にしても溝があることで脱着時に内部フランジに干渉することなく上に持ち上げることができる。また、エプロン上端が外部フランジより高い位置に来るので水返しとなり、浴槽側に水が浸入するのを防止することができる。
【００１３】
エプロンが、固定状態において外部フランジと離間を持って配置される場合は、使用時に浴槽及び浴槽エプロンに荷重が掛かっても、外部フランジとエプロンとの摩擦による異音発生を防止できる。
【００１４】
突起が、防水パンの洗い場と浴槽載置場とを隔てる土手部の、上部水平面に配置される場合は、エプロンを土手部に固定でき、脱着の際は土手部と洗い場との段差を利用して、エプロンを洗い場に置くことにより、エプロン上部を浴槽外部フランジから容易に脱着できる。
【００１５】
エプロンが、突起と嵌合する水平部と、この水平部よりも下方へ突出し防水パンに当接させる当接片とを有し、水平部の奥側端を、エプロン上端を支点としたエプロンの回転軌跡より内側とする場合は、エプロンを脱着する際に、土手部とエプロンが干渉するのを防止できる。
【発明を実施するための最良の形態】
【００１６】
本発明にて述べる防水パンは、浴槽を載置できる大きさがあり、エプロン下部片辺を当接させる突起を有するものであれば特に限定されるものではない。
より具体的には、洗い場と浴槽載置場とを備え、その境界に土手部を有しているものを用いることができ、土手部の上面に突起を設けることができる。
洗い場と浴槽載置場とは、必ずしも一体成形の防水パンでなくともよく、複数の防水パンを水密的に結合したものを用いることもできる。
防水パンの材質は、特に限定されず、金属、合成樹脂、木材、天然石等を使用することができるが、水場であることから、耐久性の高い合成樹脂のものを使用することが好ましい。
合成樹脂としては、不飽和ポリエステル樹脂にガラス繊維を混入させ、シート状にしたＳＭＣを好適に用いることができるが、これに限定されるものではない。
【００１７】
本発明にて述べる浴槽は、入浴を行う湯舟と、この湯舟の周囲に設けられる上縁面と、この上縁面の最外周に垂下する外部フランジと、この外部フランジに離間を有して配置される内部フランジとを備えるものであれば、特に限定されるものではない。
湯舟の形状は、特に限定されるものでなく、直方体形状、立方体形状、へちま状形状、くさび状形状、楕円状形状等、様々な形状をとることができる。
上縁面は、湯舟の周囲に設けられるもので、その上面を水平としても、湯舟側へ傾斜させても、湯舟外側に傾斜させるものでも良く、湯舟側に傾斜させれば湯舟内の湯が外へ出にくくなり、湯舟外側に傾斜させれば洗い場にて発生した石鹸水等が湯舟に入りにくくなる。上縁面外周の平面視形状は、特に限定されるものではないが、浴室ユニット内で無効空間を生じさせないように、方形とすることが好ましい。
外部フランジは、先に述べた上縁面の最外周に垂下するものであり、上縁面外周の一部又は全部に設けられる。また、ここで述べる垂下とは、必ずしも鉛直に垂れ下がるものばかりを意味するのではなく、ある程度角度を有するものであっても、下方に向かうものであれば良い。外部フランジの垂直方向の長さは、特に限定されないが、具体的には３０〜４０ｍｍ程度が好ましい。これは、３０ｍｍよりも短くなると、徐々に浴槽上縁面の強度が低くなり、４０ｍｍを超えると、徐々に外部フランジの反りなどの変形や、浴槽に器具を取り付ける際の障害となる。
内部フランジは、外部フランジと離間を有して配置されるものであればよく、その他特に限定されるものではない。離間距離は、特に限定されないが、約３０ｍｍ程度が好ましい。この長さよりも短い場合は、徐々にエプロンとフランジが干渉しはじめ納めにくい。又、この長さよりも長い場合は、徐々に挟持片をエプロンから離す必要があり脱着の際に、挟持片と浴槽フランジが干渉し始める。
内部フランジの設置場所は、浴槽をユニットに載置した際に、洗い場側となる辺であり、エプロンを設置した際に、挟持片がある範囲に内部フランジが設置されるものであれば、特に限定されるものではない。
内部フランジの垂直方向の長さは、特に限定されないが、約３０ｍｍ程度が好ましい。この長さよりも短いとエプロンを設置する際の、エプロン挟持片との掛かり代が少なくエプロンが脱落する恐れがある。又、この長さより長いと成形時に脱型しづらい。
【００１８】
本発明にて述べるエプロンは、浴槽内側を遮蔽する意匠面と、浴槽と固定時に浴槽内部フランジに引っ掛ける為の挟持片とを有するものであれば良く、他に限定されるものはない。
意匠面は、垂直方向で浴槽外部フランジ端から防水パン土手部までの範囲を覆え、水平方向では浴槽（湯舟）の裏面を使用者から隠蔽可能であればよく、特に形状は限定されないが、脱着の際の持ち手となる形状を有したものが好ましい。
挟持片は、エプロンの裏面に配置され、エプロンと一体成形したもの、エプロンに後付けしたもの等を用いることができる。挟持片の形状は、浴槽内部フランジに掛かれば平面、曲面など様々な形状をとることができる。設置場所は浴槽フランジがある範囲であれば特に限定されるものではない。挟持片の高さは、１５〜２０ｍｍ程度が好ましく、これよりも長い場合は、徐々に浴槽と干渉する恐れが増し、これより短いと徐々に浴槽内部フランジから外れてエプロンが脱落する恐れが増してくる。
エプロン上端の水平方向の長さは、浴槽外部フランジと内部フランジの間に納まれば特に限定されないが、脱着性を考慮すると各２ｍｍ程度の隙間をとるのが好ましい。
エプロンに挟持片との間の溝を設ける場合は、エプロンを脱着する際に、エプロンを上に持ち上げられるように、内部フランジの部分を逃げた形状にすることが好ましい。溝の深さは、挟持片の強度を考慮すると５〜１５ｍｍ程度とすることが好ましい。
下部係止片は、防水パン土手部に載置した際に、防水パン土手部に設けられた突起部と嵌合でき、エプロンを脱着する際に防水パン土手部と干渉しなければ特に限定されない。
【実施例】
【００１９】
以下、図面を用いて、本発明の実施例の説明を行う。
図３は、本発明に用いる浴槽の１実施例を示した断面図である。図３の（ａ）はエプロン３を防水パン１及び浴槽２に固定している断面図を示す。防水パン１とエプロンの固定は、防水パン１の土手部４の突起部５に、エプロン３の下部係止片６を嵌合する。また、エプロン３は、浴槽側への落下を防止する為、エプロン３に当接片１０を備え、この当接片１０を土手部４に当てることで、浴槽側への落下を防止できる。
図３の（ｂ）でエプロン３は、浴槽２に固定する為の、挟持片１１を有しており、これを内部フランジ１２に引っ掛けて固定する。また、浴槽側に倒れこまないように浴槽２はエプロン受け部８を有している。浴槽２にエプロン３を納めた際に、浴槽側に水が入り難くするためにエプロン上端１３を有し、外部フランジ７よりもエプロン上端１３を高くすることで水返しを備えた形状となる。
しかし、脱着の際に上方向にスライドさせる必要があり、そのままでは内部フランジ１２とエプロン上端１３が干渉してしまう。この為、内部フランジ１２の逃げを考慮し挟持片１１とエプロン上端１３の間に溝１４を設けた形状とする。溝１４には水がたまらないように中心から外に向かって１／５０勾配の排水勾配を備える。
挟持片１１の配置する範囲は、浴槽受け部８を避けて、エプロン３の水平方向の両端２箇所にしている。また、挟持片１１はブロー成形を用いてエプロンと一体で形成しコスト面を考慮したものを用いている。
浴槽２はＳＭＣ成形品を用い、エプロン受け部８及び内部フランジ１２はリブ形状として一体で形成した。
【００２０】
図４は、本発明のエプロン脱着時の他の実施例の断面を示す。（ａ）はエプロン３を防水パン１の土手部４より外す際の断面を示す。エプロン３を取り外す際は、エプロン３の手掛部１５を持ち、上方向に１０ｍｍ程度持ち上げて下部を手前に引き出すことで土手部４よりエプロン３を外す。
（ｂ）はエプロン３を浴槽２より外す際の断面を示す。防水パン１の土手部４より外したエプロンを、防水パン１の床面１６に置き、エプロンの挟持片１１とエプロン上端１３を浴槽２から外す。
【００２１】
図５は、本発明に用いるエプロン３をユニットに組付けた状態の斜視図を示す。エプロン３は、（ａ）・（ｂ）・（ｃ）の３個で構成されており、使用者が清掃等でエプロン３を脱着する際は、エプロン３（ａ）をはじめに取り外した後、エプロン（ｂ）・（ｃ）を取り外す。
エプロン３を（ａ）・（ｂ）・（ｃ）の３分割仕様としたのは、カウンター１７がエプロン３（ｂ）・（ｃ）の横に設置される仕様のときに、エプロン３（ａ）を脱着可能とし、ユニット本体で勝手違いが生じても、エプロン３（ｂ）・（ｃ）を左右対称とすることで、常に対となる仕様とし勝手違いが生じない様にするためである。
【図面の簡単な説明】
【００２２】
【図１】従来例である浴槽の概略断面図であり、（ａ）はエプロンの固定状態を示し、（ｂ）はエプロンの脱着状態を示す。
【図２】別の従来例である浴槽の概略断面図であり、（ａ）はエプロンの固定状態を示し、（ｂ）はエプロンの脱着状態を示す。
【図３】本発明に用いる浴槽の１実施例を示した断面図であり、（ａ）はエプロンを防水パン及び浴槽に固定している断面図を示し、（ｂ）は挟持片部分の拡大図を示す。
【図４】本発明に用いるエプロンの脱着時の断面図であり、（ａ）はエプロンを防水パン土手から外す断面図を示し、（ｂ）はエプロンを浴槽から外す断面図を示す。
【図５】本発明に用いるエプロンを浴室ユニットに納めた状態の斜視図を示す。
【符号の説明】
【００２３】
１…防水パン、２…浴槽、３…エプロン、４…土手部、５…突起、６…下部係止片、７…外部フランジ、８…エプロン受け部、９…支点となる部分、１０…当接片、１１…挟持片、１２…内部フランジ、１３…エプロン上端、１４…溝、１５…手掛部、１６…床面、１７…カウンター
【図１】
2008302123.tif 000003
【図２】
2008302123.tif 000004
【図３】
2008302123.tif 000005
【図４】
2008302123.tif 000006
【図５】
2008302123.tif 000007